(57)【特許請求の範囲】
【請求項１】
建物の上部から下部へ吊り下げ状態で使用される複数個の光心線あるいはテープ光心線がシースで覆われた光通信幹線ケーブル本体と、この光通信幹線ケーブル本体の少なくとも１箇所以上の所定位置のシースを除去してあらかじめ設定された該光通信幹線ケーブル本体の光心線あるいはテープ光心線と融着接続された先端部にコネクターが取付けられたＦＯケーブルと、前記光通信幹線ケーブル本体のシースが除去された部位の両端部のシースの外周部に設けられた、一方から前記ＦＯケーブルを通過させることができるホルダー、このホルダーに両端部が支持されたコイルスプリングおよび少なくともこのコイルスプリングと前記ホルダーの外周部を覆う収縮チューブあるいは接着テープとからなる分岐具とを備えることを特徴とする光通信幹線ケーブル。
【請求項２】
建物の上部から下部へ吊り下げ状態で使用される複数個の光心線あるいはテープ光心線がシースで覆われた光通信幹線ケーブル本体と、この光通信幹線ケーブル本体の前記建物の各階に位置する部位のシースを除去してあらかじめ設定された該光通信幹線ケーブル本体の光心線あるいはテープ光心線と融着接続された先端部にコネクターが取付けられた複数個のＦＯケーブルと、前記光通信幹線ケーブル本体のシースが除去されたそれぞれの部位の両端部のシースの外周部に設けられた、一方から前記ＦＯケーブルを通過させることができる複数個のホルダー、この複数個のホルダーに両端部が支持された複数個のコイルスプリングおよびこのコイルスプリングと前記ホルダーの外周部を覆う内壁面に接着剤が付着された複数個の収縮チューブあるいは接着テープとからなる分岐具とを備えることを特徴とする光通信幹線ケーブル。
【請求項３】
光通信幹線ケーブル本体の分岐のためにシースが除去された部位の両端部のシースの外周部に取付けられる、少なくとも一方にＦＯケーブルの通過部を有するホルダーと、このホルダーに両端部が支持されるコイルスプリングと、このコイルスプリングおよび前記ホルダーの外周部を覆う収縮チューブあるいは接着テープとからなることを特徴とする光通信幹線ケーブル用分岐具。
【請求項４】
光通信幹線ケーブル本体の分岐のためにシースが除去された部位の両端部のシースの外周部に２分割あるいはヒンジ部材を介して開放可能に形成された、少なくとも一方にＦＯケーブルを通過させる溝状の通過部を有するホルダーと、このホルダーに両端部が支持されるコイルスプリングと、このコイルスプリングおよび前記ホルダーの外周部を覆う内壁面に接着剤が付着された収縮チューブあるいは接着テープとからなることを特徴とする光通信幹線ケーブル用分岐具。
【発明の詳細な説明】
【０００１】
【発明の属する技術分野】
本発明はオフィスビル等の建物に光通信ケーブルを設置する場合に使用される光通信幹線ケーブルおよび光通信幹線ケーブル用分岐具に関する。
【０００２】
【従来の技術】
従来、オフィスビル等の建物には地下に設けた外部からの光通信幹線ケーブルに接続される構内光キャビネットＰＴに接続された、建物の上部より吊り下げられた光通信幹線ケーブルの０．２５ＵＶ心線を所定の階に設置した構内光キャビネットＰＤに融着接続するとともに、該構内光キャビネットＰＤより、その階および上下階に光ケーブルを用いてそれぞれの階に設置された回線接続装置に接続している。
【０００３】
【発明が解決しようとする課題】
従来の建物に吊り下げ状態で使用される光通信幹線ケーブルは、設置現場で所定位置のシースを除去し、該光通信幹線ケーブルの０．２５ＵＶ心線を構内光キャビネットＰＤに融着接続する作業を行わなければならず、その作業が大変で、手数がかかるという欠点があった。
【０００４】
本発明は以上のような従来の欠点に鑑み、融着接続等の大変な作業を現場で行なうことなく、工場で行なうことができ、現場では簡単な作業で光通信ケーブルの配線を行なうことができ、工場から現場への移送も従来とほぼ同じように行なうことができる光通信幹線ケーブルおよび光通信幹線ケーブル用分岐具を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は建物の上部から下部へ吊り下げ状態で使用される複数個の光心線あるいはテープ光心線がシースで覆われた光通信幹線ケーブル本体と、この光通信幹線ケーブル本体の少なくとも１箇所以上の所定位置のシースを除去してあらかじめ設定された該光通信幹線ケーブル本体の光心線あるいはテープ光心線と融着接続された先端部にコネクターが取付けられたＦＯケーブルと、前記光通信幹線ケーブル本体のシースが除去された部位の両端部のシースの外周部に設けられた、一方から前記ＦＯケーブルを通過させることができるホルダー、このホルダーに両端部が支持されたコイルスプリングおよび少なくともこのコイルスプリングと前記ホルダーの外周部を覆う収縮チューブあるいは接着テープとからなる分岐具とで光通信幹線ケーブルを構成している。
【０００７】
また、本発明は光通信幹線ケーブル本体の分岐のためにシースが除去された部位の両端部のシースの外周部に取付けられる、少なくとも一方にＦＯケーブルの通過部を有するホルダーと、このホルダーに両端部が支持されるコイルスプリングと、このコイルスプリングおよび前記ホルダーの外周部を覆う収縮チューブあるいは接着テープとで光通信幹線ケーブル用分岐具を構成している。
【０００８】
【発明の実施の形態】
以下、図面に示す実施の形態により、本発明を詳細に説明する。
【０００９】
図１ないし図９に示す本発明の第１の実施の形態において、１はオフィビル等の建物２の上部の階より各階の床面に形成された貫通孔３、３、３、３を通過して、下部階へ吊り下げ状態で設置される本発明の光通信幹線ケーブルで、この光通信幹線ケーブル１はあらかじめ設置される現場に合うように設計されたものを工場で製造したもので、図３に示すように４心テープ光心線４、４、４、４、４を５個設けたテープスロット型光通信幹線ケーブル本体５と、この光通信幹線ケーブル本体５の上端部に、図４に示すように取付けられた前記建物２の天井部位に固定された取付け金具６に取付けることができるケーブル吊り具７と、前記光通信幹線ケーブル本体５の前記建物２の各階に位置する部位のシース８を、図５に示すように除去してあらかじめ設定された該光通信幹線ケーブル本体５の４心テープ光心線４、４、４、４、４と融着接続されるとともに、保護チューブ９で覆われた先端部に光配線ボックス１０、１０、１０、１０、１０に接続できるコネクター１１、１１、１１、１１が取付けられた５個のＦＯケーブル１２、１２、１２、１２、１２と、この５個のＦＯケーブル１２、１２、１２、１２、１２の融着接続部を図６に示すように該ＦＯケーブル１２、１２、１２、１２、１２の先端部を外方へ突出させた状態で可撓可能に覆う分岐具１３、１３、１３、１３、１３とで構成されている。
【００１０】
前記分岐具１３は図７ないし図９に示すように、２分割された内壁面に除去されたシース８の端部８ａと係合する係合部１４が形成され、内側端部にコイルスブリング受け部１５が形成されるとともに、外周部に前記ＦＯケーブル１２を挿入させる溝状の通過部１６が形成された一対のホルダー１７、１７と、この一対のホルダー１７、１７のコイルスプリング受け部１５、１５に両端部が支持されたコイルスプリング１８と、このコイルスプリング１８、前記一対のホルダー１７、１７および該一対のホルダー１７、１７近傍のシース８、８の外周部を覆う必要に応じて内壁面に接着剤１９が付着された熱収縮チューブ２０とで構成されている。
【００１１】
このように構成された分岐具１３は、あらかじめ光通信幹線ケーブル本体５にコイルスプリング１８と熱収縮チューブ２０を挿入しておき、ＦＯケーブル１２の接続が完了した所で、除去したシース８のＦＯケーブル１２を外方へ突出させる側の端部にホルダー１７を位置させ、ＦＯケーブル１２を通過部１６に位置させる。
【００１２】
しかる後、コイルスプリング１８の一端部を取付けたホルダー１７のコイルスプリング受け部１５に支持させるとともに、コイルスプリング１８の他方を除去したシース８の他方の端部８ａにホルダー１７を取付け、該ホルダー１７のコイルスプリング受け部１５に支持させる。次に、コイルスプリング１８、ホルダー１７、１７の上部に熱収縮チューブ２０を位置させ、熱を加えて収縮させ、該熱等の熱収縮チューブ２０を移動不能に取付ける。
【００１３】
このようにして製造された光通信幹線ケーブル１はＦＯケーブル１２、１２、１２、１２、１２の先端部のコネクター１１、１１、１１、１１部分をそれぞれ保護ケース等で覆って光通信幹線ケーブル本体５にテープ等で固定した状態で巻き付け、ドラムに巻き取り輸送する。
【００１４】
【発明の異なる実施の形態】
次に、図１０ないし図２１に示す本発明の異なる実施の形態につき説明する。なお、これらの本発明の異なる実施の形態の説明に当って、前記本発明の第１の実施の形態と同一構成部分には同一符号を付して重複する説明を省略する。
【００１５】
図１０ないし図１３に示す本発明の第２の実施の形態において、前記本発明の第１の実施の形態と主に異なる点は、一方に係合片２１、２１と、他方にこの係合片２１、２１と係合する係合部２２、２２を有し、かつ内部に開口するＦＯケーブル１２を収納する溝状の通過部１６Ａを形成した２分割されたホルダー１７Ａ、１７Ａを使用した分岐具１３Ａ、１３Ａ、１３Ａ、１３Ａ、１３Ａを用いた点で、このように構成した分岐具１３Ａ、１３Ａ、１３Ａ、１３Ａ、１３Ａを用いた光通信幹線ケーブル１Ａにしても、前記本発明の第１の実施の形態と同様な作用効果が得られる。
【００１６】
図１４ないし図１７に示す本発明の第３の実施の形態において、前記本発明の第１の実施の形態と主に異なる点は、一方に薄肉のヒンジ部２３を設けた開閉可能なホルダー１７Ｂ、１７Ｂを使用した分岐具１３Ｂ、１３Ｂ、１３Ｂ、１３Ｂ、１３Ｂを用いた点で、このように構成した分岐具１３Ｂ、１３Ｂ、１３Ｂ、１３Ｂ、１３Ｂを用いた光通信幹線ケーブル１Ｂにしても、前記本発明の第１の実施の形態と同様な作用効果が得られる。
【００１７】
図１８ないし図２１に示す本発明の第４の実施の形態において、前記本発明の第１の実施の形態と主に異なる点は、熱収縮チューブの代わりに接着テープ２４を巻き付けて使用した点で、このように接着テープ２４を使用した分岐具１３Ｃを用いた光通信幹線ケーブル１Ｃにしても、前記本発明の第１の実施の形態と同様な作用効果が得られる。
【００１８】
なお、本発明の各実施の形態では光通信幹線ケーブル本体５としてテープスロット型のものを用いたものについて説明したが、本発明はこれに限らず、複数個の光心線を束ねてシースで覆ったものを用いてもよく、また、４心テープ光心線を１０個、１５個、２５個、５０個用いたり、分岐具１３、１３Ａ、１３Ｂ、１３Ｃをそれぞれの階でなく、所定の階に位置するように設けてもよい。
さらに、前記本発明の実施の形態で使用した、熱収縮チューブの代わりに、熱以外の光り等によって収縮する収縮チューブを用いても良い。
【００１９】
【発明の効果】
以上の説明から明らかなように、本発明にあっては次に列挙する効果が得られる。
【００２０】
（１）建物の上部から下部へ吊り下げ状態で使用される複数個の光心線あるいはテープ光心線がシースで覆われた光通信幹線ケーブル本体と、この光通信幹線ケーブル本体の少なくとも１箇所以上の所定位置のシースを除去してあらかじめ設定された該光通信幹線ケーブル本体の光心線あるいはテープ光心線と融着接続された先端部にコネクターが取付けられたＦＯケーブルと、前記光通信幹線ケーブル本体のシースが除去された部位の両端部のシースの外周部に設けられた、一方から前記ＦＯケーブルを通過させることができるホルダー、このホルダーに両端部が支持されたコイルスプリングおよび少なくともこのコイルスプリングと前記ホルダーの外周部を覆う収縮チューブあるいは接着テープとからなる分岐具とで構成されているので、設置現場で光通信幹線ケーブル本体とＦＯケーブルとを融着接続しなくてもよい。
したがって、現場での配線作業が簡単で、短時間に行なうことができる。
【００２１】
（２）前記（１）によって、光通信幹線ケーブル本体の光心線あるいはテープ光心線とＦＯケーブルに接続する分岐部は工場で取付けるので、品質保証が確実にできる。
したがって、通信幹線ケーブルの配線に対する信頼性の向上を図ることができる。
【００２２】
（３）前記（１）によって、分岐部をコイルスプリングと収縮チューブあるいは接着テープで覆っているので、可撓性を持たせることができる。
したがって、輸送時に従来と同様に巻き付けドラム等に巻き取って輸送することができる。
【００２３】
（４）請求項２、３、４も前記（１）〜（３）と同様な効果が得られる。
【図面の簡単な説明】
【図１】本発明の第１の実施の形態の使用状態の説明図。
【図２】本発明の第１の実施の形態の説明図。
【図３】本発明の第１の実施の形態の光通信幹線ケーブル本体の説明図。
【図４】本発明の第１の実施の形態のケーブル吊り具の説明図。
【図５】本発明の第１の実施の形態の分岐部の接続状態を示す説明図。
【図６】本発明の第１の実施の形態の分岐部の説明図。
【図７】本発明の第１の実施の形態の分岐具の分解図。
【図８】図６の８−８線に沿う断面図。
【図９】図６の９−９線に沿う断面図。
【図１０】本発明の第２の実施の形態の使用状態の説明図。
【図１１】本発明の第２の実施の形態の説明図。
【図１２】本発明の第２の実施の形態の分岐部の説明図。
【図１３】本発明の第２の実施の形態の分岐具の分解図。
【図１４】本発明の第３の実施の形態の使用状態の説明図。
【図１５】本発明の第３の実施の形態の説明図。
【図１６】本発明の第３の実施の形態の分岐部の説明図。
【図１７】本発明の第３の実施の形態の分岐具の分解図。
【図１８】本発明の第４の実施の形態の使用状態の説明図。
【図１９】本発明の第４の実施の形態の説明図。
【図２０】本発明の第４の実施の形態の分岐部の説明図。
【図２１】本発明の第４の実施の形態の分岐具の分解図。
【符号の説明】
１、１Ａ、１Ｂ、１Ｃ：光通信幹線ケーブル、
２：建物、              ３：貫通孔、
４：４心テープ光心線、  ５：光通信幹線ケーブル本体、
６：取付け金具、        ７：ケーブル吊り具、
８：シース、            ９：保護チューブ、
１０：光配線ボックス、  １１：コネクター、
１２：ＦＯケーブル、    １３、１３Ａ、１３Ｂ、１３Ｃ：分岐具、
１４：係合部、          １５：コイルスプリング受け部、
１６、１６Ａ：通過部、  １７、１７Ａ、１７Ｂ：ホルダー、
１８：コイルスプリング、１９：接着剤、
２０：熱収縮チューブ、  ２１：係合片、
２２：係合部、          ２３：ヒンジ部、
２４：接着テープ。
【図１】
0004100834.tif 000002
【図２】
0004100834.tif 000003
【図３】
0004100834.tif 000004
【図４】
0004100834.tif 000005
【図５】
0004100834.tif 000006
【図６】
0004100834.tif 000007
【図７】
0004100834.tif 000008
【図８】
0004100834.tif 000009
【図９】
0004100834.tif 000010
【図１０】
0004100834.tif 000011
【図１１】
0004100834.tif 000012
【図１２】
0004100834.tif 000013
【図１３】
0004100834.tif 000014
【図１４】
0004100834.tif 000015
【図１５】
0004100834.tif 000016
【図１６】
0004100834.tif 000017
【図１７】
0004100834.tif 000018
【図１８】
0004100834.tif 000019
【図１９】
0004100834.tif 000020
【図２０】
0004100834.tif 000021
【図２１】
0004100834.tif 000022